【手続補正書】
【提出日】平成16年11月5日(2004.11.5)
【手続補正１】
【補正対象書類名】明細書
【補正対象項目名】全文
【補正方法】変更
【補正の内容】
【書類名】      明細書
【発明の名称】  通信システム
【特許請求の範囲】
【請求項１】  インタネットに接続時に、アドレスが一定となることが保証されない様なウェブサーバと、インタネットに接続されていて、ＵＲＬが固定されている常時接続ウェブサーバと、インタネットに接続されていて、ウェブ閲覧機能を有する携帯式情報端末とから構成された通信システムに於いて、当該携帯式情報端末のユーザーは、当該携帯式情報端末から当該常時接続ウェブサーバを介して、同一のアドレスを使用して当該インタネットに接続時に、アドレスが一定となることが保証されない様なウェブサーバにアクセスすることが可能となる様に構成されている事を特徴とする通信システム。
【請求項２】  当該当該インタネットに接続時に、アドレスが一定となることが保証されない様なウェブサーバが、インタネットに接続されていない時に、当該ウェブサーバの当該状態を示す情報が、当該常時接続ウェブサーバに配信され、インタネットを介して当該常時接続ウェブサーバにアクセスしてきた携帯式情報端末のユーザーが当該ウェブサーバの状態を認識できる様に構成されている事を特徴とする請求項１に記載の通信システム。
【請求項３】  当該通信システムに於いて、当該携帯式情報端末が当該インタネットに接続すると、自動的に、当該インタネットに接続時に、アドレスが一定となることが保証されない様なウェブサーバのアドレスに転送されるように構成されている事を特徴とする請求項１又は２に記載の通信システム。
【請求項４】  当該アドレスが一定となることが保証されない様なウェブサーバは、当該ウェブサーバがインタネットに接続する毎に、インタネットに接続した際に与えられるアドレスを含む情報を常時接続ウェブサーバに配送して当該常時接続ウェブサーバにおける自己のウェブサイトを書き換える事を特徴とする請求項１乃至３の何れかに記載の通信システム。
【請求項５】  当該携帯式情報端末を使用するオペレータは、常に同一のＵＲＬを使用して当該常時接続ウェブサーバにアクセスし、当該アドレスが一定となることが保証されない様なウェブサーバのウェブサイトを閲覧し、当該ウェブサイトの情報から当該アドレスが一定となることが保証されない様なウェブサーバのその時点でのアドレスを確認して、当該アドレスが一定となることが保証されない様なウェブサーバにアクセスする様に構成されている事を特徴とする請求項１乃至４の何れかに記載の通信システム。
【請求項６】  当該アドレスが一定となることが保証されない様なウェブサーバから当該常時接続ウェブサーバに配送される情報はＨＴＭＬ形式のファイルで構成されている事を特徴とする請求項１乃至５の何れかに記載の通信システム。
【請求項７】  当該携帯式情報端末のオペレータが、当該常時接続ウェブサーバに同一のＵＲＬでアクセスした場合に、アドレスが一定となることが保証されない様なウェブサーバに自動的にジャンプするように構成されている事を特徴とする請求項１乃至６の何れかに記載の通信システム。
【請求項８】  当該アドレスが一定となることが保証されない様なウェブサーバが当該インタネットから切断される際には、当該アドレスが一定となることが保証されない様なウェブサーバから当該常時接続ウェブサーバに対して当該アドレスが一定となることが保証されない様なウェブサーバが当該インタネットに接続されていない旨のメッセージを配信し、当該メッセージが当該携帯式情報端末のオペレータが認識出来る様に構成されている事を特徴とする請求項１乃至７の何れかに記載の通信システム。
【請求項９】  当該常時接続ウェブサーバ、所定の時間ごとに当該アドレスが一定となることが保証されない様なウェブサーバのウェブサイトを監視して、当該あらかじめ設定されている所定の時間内に当該ウェブサイトが一度も使用されていない場合には、当該ウェブサーバ上の情報を使用不能な状態に書き換える様に構成されている事を特徴とする請求項１乃至８の何れかに記載の通信システム。
【発明の詳細な説明】
【０００１】
【発明の属する技術】
本発明は、アクセスするたびに、通信アドレスが変化する通信ネットワークにおいて、一時接続ワールドワイドウェブサーバに同一ＵＲＬでアクセスできるようにする方法とシステムを提供する。
【０００２】
【従来の技術】
従来より、インタネットを介して、一のサーバから通信機能を有するオペレータ通信端末、例えば、携帯電話に所定の情報をや配信したり、当該オペレータ通信端末から当該サーバにアクセスして所定の情報を取得するシステムが一般的に使用されている。
【０００３】
然しながら、かかるシステムが大企業内に於いて、グループウェアとして使用される場合には、通常、情報管理者が、設けられており、当該管理者が、必要に応じて当該サーバをインタネットに接続するたびに、ＩＰアドレスが変更された場合にはその結果を、当該オペレータ通信端末に通知する機能を実行しているので、当該グループウェア内では特別の不便を感じることは無いが、当該システムが出来るだけ、現在のシステムを利用しかつコスト的にも安価なシステムを構築する場合には、当該情報管理者を配置することが不可能なシステムとなるので、当該サーバが、常時インタネットに接続されている場合は問題がないが、常時インタネットに接続されていないサーバの場合には、当該サーバが、当該インタネットに接続するたびに、ＩＰアドレスが変化することが多く、携帯端末等のオペレータ通信端末から当該サーバにアクセスしようとしても、当該サーバのＩＰアドレスが不明であることが多く、従って、オペレータ通信端末側から当該サーバにアクセスする際に不便であった。
【０００４】
又、かかるグループウェアに於いて、特定のウェブサーバが、インタネットに接続するごとに、当該ウェブサーバに対して常時、同じＩＰアドレスを設定するようにするサービスを提供するプロバイダーもあるが、そのために別途料金を支払うことが要求されるので、結果的にはコストが高くなるという問題が有った。
【０００５】
かかる従来の問題点を解決する方法としては、例えば、ＤＮＳレベルで解決する方法、つまり、ダイナミックＤＮＳ方式で、解決する方法が、提案されている。
【０００６】
即ち、当該サーバが、インタネットに接続する時若しくは定期的にダイナミックＤＮＳサーバへ、ホスト名とＩＰアドレスを登録するように構成するものである。
【０００７】
然しながら、かかる方法では、当該ＩＰアドレスの登録から検索が可能になるまでのタイムラグ発生するので、当該サーバがインタネットとの回線の接続を切断した後は、誤った検索結果となるかＤＮＳエラーとなる。
【０００８】
然しながら、当該オペレータ通信端末を操作したオペレータは、当該誤った検索結果あるいはＤＮＳエラーの原因が、ホスト名の入力の誤りか、当該アドレスが未登録状態によるものであるか理解することが不可能であるので、その対策を採ることが困難である。
【０００９】
又、別の解決方法としては、ＶＰＮ等のトンネリング手法により、仮想ＩＰアドレスとの変換を行う方法が、考えられる。
かかる方法では、クライアント側にも所定の処理操作が必要となるので、一般的ではない。
【００１０】
更に、アプリケーションによって解決する方法もある。
【００１１】
然しながら、従来に於けるアプリケーションによる解決方法は、操作が複雑となるので、ユーザーが手軽に且つ安価に使用することは不可能で有った。
【００１２】
【発明が解決しようとする課題】
本発明の目的は上記従来に於ける欠点を解決し、所望の情報をインタネットを介してユーザーに発信する所定のサーバと、当該サーバにインタネットを介してアクセスすることを希望する、ユーザーとの間で、簡易なシステムでしかも、コストが安い通信システムを構築すると同時に、当該携帯式情報端末のオペレータが当該携帯式情報端末を購入した日から直ぐに利用できるような通信システムを提供するものである。
【００１３】
【課題を解決するための手段】
本発明は上記した目的を達成する為、以下に示す様な基本的な技術構成を採用するものである。即ち、本発明に於ける態様は、インタネットに接続時に、アドレスが一定となることが保証されない様なウェブサーバと、インタネットに接続されていて、ＵＲＬが固定されている常時接続ウェブサーバと、インタネットに接続されていて、ウェブ閲覧機能を有する携帯式情報端末とから構成された通信システムに於いて、当該携帯式情報端末のユーザーは、当該携帯式情報端末から当該常時接続ウェブサーバを介して、同一のアドレスを使用して当該インタネットに接続時に、アドレスが一定となることが保証されない様なウェブサーバにアクセスすることが可能となる様に構成されている通信システムである。
【００１４】
【発明の実施の形態】
本発明にかかる通信システムは、上記した様な技術構成を採用しているので、インタネットに接続時に、アドレスが一定となることが保証されない様なウェブサーバと、インタネットに接続されていて、ＵＲＬが固定されている常時接続ウェブサーバと、インタネットに接続されていて、ウェブ閲覧機能を有する携帯式情報端末とから構成された通信システムに於いて、ダイアルアップＩＰ接続されたウェブサーバに対してＵＲＬが割り振られる際、必ずしも前回に割り当てられたものと同一のＵＲＬが割り当てられる事が保証されない様なウェブサーバに対して携帯式情報端末のオペレータがアドレスが一定となることが保証されない様なウェブサーバに対してＩＰアドレスが前回と同じか異なるのかを意識することなく当該アドレスが一定となることが保証されない様なウェブサーバに容易に且つ簡易にアクセスする事が可能な通信システムが構築されるのである。
【００１５】
そして、本発明に於いては、特に、ポケットサイズの携帯式情報端末を利用した小規模なコミュニティー向けのグループウェアに適した通信システムに適している。
【００１６】
つまり、携帯式情報端末を有する複数のメンバーであるオペレータ間でメンバー同士のスケジュールの設定や変更、或いは相手方のメンバーの空き時間を検索する様なシステムを容易にかつ安価に構築することが可能となる。
【００１７】
【実施例】
以下に、本発明に係る通信システムの一具体例の構成を、図面を参照しながら詳細に説明する。
【００１８】
即ち、図１は、本発明に係る通信システムの一具体例を示すブロックダイアグラムであって、図中、インタネット４に接続時に、アドレスが一定となることが保証されない様なウェブサーバ１と、インタネット４に接続されていて、ＵＲＬが固定されている常時接続ウェブサーバ２と、インタネット４に接続されていて、ウェブ閲覧機能を有する１乃至複数個の携帯式情報端末３−１〜３−３とから構成された通信システム１００に於いて、当該携帯式情報端末３−１〜３−３のユーザーは、当該携帯式情報端末３−１〜３−３から当該常時接続ウェブサーバ２を介して、同一のアドレスを使用して当該インタネット４に接続時に、アドレスが一定となることが保証されない様なウェブサーバ１にアクセスすることが可能となる様に構成されている通信システム１００が示されている。
【００１９】
本発明に於いて、当該アドレスが一定となることが保証されない様なウェブサーバとしては、少なくとも１台のインタネットにアクセスするたびに、ＩＰアドレスが変化するウェブサーバで、例えば、一時接続ワールドワイドウェブサーバと称されるウェブサーバが含まれるものである。
【００２０】
又、本発明に於いて使用される常時接続ワールドワイドウェブサーバは、通常プロバイダー等が使用しているウェブサーバを使用することが望ましい。
【００２１】
一方、本発明に於いて使用する当該オペレータ通信端末は、ウェブ閲覧機能を有する携帯式情報端末である事が望ましく、例えば、モバイル型のコンピュータ、通信機能を有するゲーム端末、携帯電話、ＰＨＳ、ＰＤＡ、電子手帳等を使用することが望ましい。
【００２２】
更に、本発明に於いては当該インタネット４に接続時に、アドレスが一定となることが保証されない様なウェブサーバ１が、インタネット４に接続されていない時に、当該ウェブサーバ１の当該状態を示す情報が、当該常時接続ウェブサーバ２に配信され、インタネット４を介して当該常時接続ウェブサーバ２にアクセスしてきた携帯式情報端末３のユーザーが当該ウェブサーバ１の状態を認識できる様に構成されている事が望ましい。
【００２３】
一方、本発明にかかる通信システムに於いて、当該携帯式情報端末３が当該インタネット４に接続すると、自動的に、当該インタネット４に接続時に、アドレスが一定となることが保証されない様なウェブサーバ１のアドレスに転送されるように構成されている事も好ましい。
【００２４】
更に、本発明に於いては、当該アドレスが一定となることが保証されない様なウェブサーバ１は、当該ウェブサーバ１がインタネット４に接続する毎に、インタネット４に接続した際に与えられるアドレス、例えば、ＩＰアドレスを含む情報を常時接続ウェブサーバ２に配送して当該常時接続ウェブサーバ２における自己のウェブサイトを書き換える様に構成されている事も好ましい。
【００２５】
本発明に於いては、当該携帯式情報端末３を使用するオペレータは、常に同一のＵＲＬを使用して当該常時接続ウェブサーバ２にアクセスし、当該アドレスが一定となることが保証されない様なウェブサーバ１のウェブサイトを閲覧し、当該ウェブサイトの情報から当該アドレスが一定となることが保証されない様なウェブサーバ１のその時点でのアドレスを確認して、当該アドレスが一定となることが保証されない様なウェブサーバ１にアクセスする様に構成されているものである。
【００２６】
更に、本発明に於いては、当該アドレスが一定となることが保証されない様なウェブサーバ１から当該常時接続ウェブサーバ２に配送される情報は、特に限定されるものではない、例えば、ＨＴＭＬ形式のファイルで構成されている事が望ましい。
【００２７】
一方、本発明に於いては、当該携帯式情報端末３のオペレータが、当該常時接続ウェブサーバ２に同一のＵＲＬでアクセスした場合に、アドレスが一定となることが保証されない様なウェブサーバ１に自動的にジャンプするように構成されている事も好ましい。
【００２８】
又、本発明に於いては、当該アドレスが一定となることが保証されない様なウェブサーバ１が当該インタネット４から切断される際には、当該アドレスが一定となることが保証されない様なウェブサーバ１から当該常時接続ウェブサーバ２に対して当該アドレスが一定となることが保証されない様なウェブサーバ１が当該インタネット４に接続されていない旨のメッセージを配信し、当該メッセージが当該携帯式情報端末３のオペレータが認識出来る様に構成されている事も好ましい具体例である。
【００２９】
一方、本発明に於いては、当該常時接続ウェブサーバ２は、所定の時間ごとに当該アドレスが一定となることが保証されない様なウェブサーバ１のウェブサイトを監視して、当該あらかじめ設定されている所定の時間内、例えば、１０分毎に、当該ウェブサイト１が当該時間内に於いて、一度も使用されていない場合には、当該ウェブサーバ１上の情報を使用不能な状態に書き換える様に構成されているものであっても良い。
【００３０】
上記したように、本発明にかかる通信システム１００をより詳細に説明するならば、図２に示す様に、インタネット網４に常時接続された情報登録部を有するとともに、各クライアントが自己のウェブサイトとして使用できるウェブページデータベース２１を有しているワールドワイドウェブ（ＷＷＷ）サーバウェブサーバ２と、少なくとも１台のインタネット４にアクセスするたびに、ＩＰアドレスが変化する、上記した様な、インタネットに接続時に、アドレスが一定となることが保証されない様なウェブサーバ、例えば、一時接続ワールドワイドウェブサーバ１であって、インタネット接続手段１１、ＩＰアドレス取得手段１２、ウェブページデータ作成手段１３、ウェブページデータ登録手段１４、及び一時接続ワールドワイドウェブサーバのウェブページデータ格納手段１５とからなり、前記一時接続ワールドワイドウェブサーバ１が、インタネット４に接続するたびに、前記一時接続ワールドワイドウェブサーバ１に割り当てられたＩＰアドレスを含む情報を常時接続ワールドワイドウェブサーバ２のあらかじめ定められた、例えば、ＨＴＭＬデータファイル位置２２に送信し、ウェブページ閲覧機能３１を備えたオペレータ通信端末３が、インタネット４を介して前記常時接続ワールドワイドウェブサーバ２との接続を確立した後、当該オペレータ通信端末３のウェブページ閲覧機能を使用して、あらかじめ決められたＵＲＬを指定することにより、常時接続ワールドワイドウェブサーバ２のＨＴＭＬデータファイル位置２２に格納されている、当該アドレスが一定となることが保証されない様なウェブサーバ１のＩＰアドレス情報を含むＨＴＭＬファイルをホームページとして、閲覧することによって、当該携帯式情報端末３のオペレータは、当該アドレスが一定となることが保証されない様なウェブサーバ１のその時点に於けるＩＰアドレスを知らなくとも、当該アドレスが一定となることが保証されない様なウェブサーバ１にアクセスして、当該アドレスが一定となることが保証されない様なウェブサーバ１のウェブサーバのホームページ情報を確認することが出来るのである。
【００３１】
つまり、携帯式情報端末３側のオペレータにとっては、常に固定された当該常時接続ウェブサーバ２に於ける当該アドレスが一定となることが保証されない様なウェブサーバ１のＵＲＬを使用することによって、容易に、当該アドレスが一定となることが保証されない様なウェブサーバ１のアドレスを知らなくとも当該アドレスが一定となることが保証されない様なウェブサーバ１のウェブサイトにアクセスすることが可能となる様に構成されているのである。
【００３２】
更に、本発明に於いては、当該アドレスが一定となることが保証されない様なウェブサーバ１から当該常時接続ウェブサーバ２に配信されるウェブサイト情報は、ＨＴＭＬデータファイルで構成されていることが望ましく、更に、当該ＨＴＭＬデータファイル内に、特定の操作を表すタグ、例えば、“ＲＥＦＲＥＳＨ”というメタタグを使用することによって、一定のＵＲＬにアクセスすると自動的に、一時接続ワールドワイドウェブサーバ１に転送する様に構成する事も可能である。
【００３３】
又、本発明に於いては、一時接続ワールドワイドウェブサーバ１がインタネット４への回線を切断する際に、現在、一時接続ワールドワイドウェブサーバ１は、インタネット４との回線が切されている旨の情報を含むＨＴＭＬデータを、常時接続ワールドワイドウェブサーバ２のあらかじめ決められたＨＴＭＬファイル２２に送信しておくことによって、当該携帯式情報端末３が一定のＵＲＬを用いて常時接続ワールドワイドウェブサーバ２にアクセスしたときに、一時接続ワールドワイドウェブサーバ１が現在インタネット網４に接続されていないことを知ることができる。
【００３４】
本発明におけるより具体的な具体例を以下に示す。
【００３５】
即ち、本発明に於ける、当該通信システム１００に於いては、各ウェブサーバの操作手順の一例としては、第１に、一時接続ワールドワイドウェブサーバのダイアルアッププログラムを起動する。
【００３６】
次に、一時接続ワールドワイドウェブサーバが、ＩＰアドレスを取得する。
その後、一時接続ワールドワイドウェブサーバが、ＩＰアドレスを含む配送用ＨＴＭＬファイルを作成する。
【００３７】
続いて、一時接続ワールドワイドウェブサーバが、常時接続ワールドワイドウェブサーバに接続され、当該常時接続ウェブサーバに於けるあらかじめ決められた場所に、配送用ＨＴＭＬファイルを転送する。
【００３８】
上記の操作によって、オペレータ通信端末から一時接続ワールドワイドウェブサーバへ同一のＵＲＬを使用してアクセスする事が可能となる。
一方、当該アドレスが一定となることが保証されない様なウェブサーバが、当該インタネットから切断される場合の操作手順としては、一時接続ワールドワイドウェブサーバが回線切断プログラムを起動する。
【００３９】
その後、一時接続ワールドワイドウェブサーバは、現在、接続されていない旨の配送用ＨＴＭＬファイルを作成する。
【００４０】
一時接続ワールドワイドウェブサーバが、常時接続ワールドワイドウェブサーバと接続し、当該常時接続ワールドワイドウェブサーバに於ける、ホームページとして、あらかじめ決められた場所に、配送用のＨＴＭＬファイルを転送する。
転送ＨＴＭＬファイルの具体例を、以下に示すならば、
〈ＨＴＭＬ〉
〈ＨＥＡＤ〉
〈ＭＥＴＡ  ｈｔｔｐ−ｅｑｕｉｖ＝“ＲＥＦＲＥＳＨ”ｃｏｎｔｅｎｔ＝“１；ＵＲＬ＝ｈｔｔｐ：／／ｘｘｘ．ｘｘｘ．ｘｘｘ．ｘｘｘ／ｉｎｄｅｘ．ｈｔｍｌ”〉
〈／ＨＥＡＤ〉
〈ＢＯＤＹ〉
〈Ａｈｒｅｆ＝“ｈｔｔｐ：／／ｘｘｘ．ｘｘｘ．ｘｘｘ．ｘｘｘ／ｉｎｄｅｘ．ｈｔｍｌ”〉自動ジャンプしない場合クリック〈／Ａ〉
〈／ＢＯＤＹ〉
注：ｘｘｘ．ｘｘｘ．ｘｘｘ．ｘｘｘは、一時接続ワールドワイドウェブサーバのＩＰアドレスである。
【００４１】
次に、本発明に於ける当該通信システム１００の一具体例に於ける操作手順の例を図３を参照しながら詳細に説明する。
【００４２】
つまり、図３に於いて、アドレスが一定となることが保証されない様なウェブサーバ１として一時接続ワールドワイドウェブサーバを使用することとする。
即ち、図１に示す様な、インタネットに接続時に、アドレスが一定となることが保証されない様なウェブサーバと、インタネットに接続されていて、ＵＲＬが固定されている常時接続ウェブサーバと、インタネットに接続されていて、ウェブ閲覧機能を有する携帯式情報端末とから構成された通信システム１００に於いて、スタート後、ステップ（Ｓ−１）に於いて、当該アドレスが一定となることが保証されない様なウェブサーバ１をインタネット４に接続する工程が実行されると、ステップ（Ｓ−２）に於いて、当該インタネット４に接続された当該アドレスが一定となることが保証されない様なウェブサーバ１に対してＩＰアドレスが割り当てる工程が実行される。
【００４３】
その後、ステップ（Ｓ−３）に於いて、当該アドレスが一定となることが保証されない様なウェブサーバに於いて当該割り当てられたＩＰアドレスを含むウェブサイト情報を作成する工程が実行され、続いてステップ（Ｓ−４）に於いて、アドレスが一定となることが保証されない様なウェブサーバ１が、当該ウェブサイト情報を特定の固定されたＵＲＬアドレスとともに常時接続ウェブサーバ２に於ける自己のウェブサイト２２に登録表示する工程が、実行される。
【００４４】
次いで、ステップ（Ｓ−５）に於いて、当該アドレスが一定となることが保証されない様なウェブサーバ１が、現在インタネット上に表示されているウェブサイト情報を切断するか否かを判断する工程が、実行され、当該ステップ（Ｓ−５）に於いて、ウェブサイト情報を切断しないと判断する場合には、当該携帯式情報端末３のオペレータが当該固定のＵＲＬを使用して当該アドレスが一定となることが保証されない様なウェブサーバ１のウェブサイト情報にアクセスする工程が実行される。
【００４５】
当該ステップ（Ｓ−５）に於いて、当該アドレスが一定となることが保証されない様なウェブサーバに於いて、ウェブサイト情報を切断しないと判断した場合には、ステップ（Ｓ−６）に進んで、当該携帯式情報端末３のオペレータが、固定のＵＲＬを使用して当該常時接続ウェブサーバ２に設けられている当該アドレスが一定となることが保証されない様なウェブサーバ１に格納されている当該アドレスが一定となることが保証されない様なウェブサーバ１のＩＰアドレスを確認する工程が実行され、ステップ（Ｓ−７）に於いて、当該携帯式情報端末３のオペレータが当該アドレスが一定となることが保証されない様なウェブサーバ１の当該ウェブサイトが切断されているか否かを判断する工程が実行される。
【００４６】
当該ステップ（Ｓ−７）に於いて、当該アドレスが一定となることが保証されない様なウェブサーバ１の当該ウェブサイトが切断されていない事が確認された場合には、ステップ（S−８）に進み、当該ウェブサイト情報から当該アドレスが一定となることが保証されない様なウェブサーバのアドレスを認識する工程が実行されることになる。
【００４７】
次いで、ステップ（Ｓ−９）に進み、当該携帯式情報端末３のオペレータが、当該認識した当該アドレスが一定となることが保証されない様なウェブサーバ１のＩＰアドレスを使用して当該アドレスが一定となることが保証されない様なウェブサーバ１のウェブサイトにアクセスし、当該ウェブサイトの内容を確認する工程が実行される。
【００４８】
その後、ステップ（Ｓ−１０）に於いて、当該携帯式情報端末３のオペレータが、当該ウェブサイトの内容を変更するか否かを判断する工程が実行され、当該ウェブサイトの内容を変更する場合には、ステップ（Ｓ−１１）に進んで、当該携帯式情報端末３を介して当該ウェブサイトの内容を変更する工程が実行されるが、ステップ（Ｓ−１０）に於いて、当該携帯式情報端末３のオペレータが、当該ウェブサイトの内容を変更しない場合には、処理を終了する事になる（ＥＮＤ）。
【００４９】
その後、ステップ（Ｓ−１２）に進み、当該ウェブサイトの内容を更に、変更する必要があるか否かを判断する工程が実行され、当該ステップ（Ｓ−１２）に於いて、更に、当該ウェブサイトの内容を変更する必要がある場合には、ステップ（Ｓ−１１）に戻って、上記したウェブサイトの内容を変更する工程が繰り返されるが、当該ステップ（Ｓ−１２）に於いて、当該ウェブサイトの内容を更に変更する必要が無い場合には処理を終了する事（ＥＮＤ）となる。
【００５０】
一方、ステップ（Ｓ−５）に於いて、当該アドレスが一定となることが保証されない様なウェブサーバが、現在表示されているウェブサイト情報を切断するか否かを判断するに際し、当該ウェブサイト情報を切断する場合には、ステップ（Ｓ−１３）に於いて、「切断中」の状態を表示する情報を作成する工程が実行され、次いで、ステップ（Ｓ−１４）に進んで、当該「切断中」の状態を表示する情報を常時接続ウェブサーバ２に於ける自己のウェブサイトに上書して書き換える工程が実行されてステップ（Ｓ−７）に戻る工程が実行される。
【００５１】
又、当該ステップ（Ｓ−７）において、当該アドレスが一定となることが保証されない様なウェブサーバ１のウェブサイトが切断されている場合には、ステップ（Ｓ−１５）に於いて、当該携帯式情報端末３のオペレータが、当該アドレスが一定となることが保証されない様なウェブサーバ１のウェブサイトが切断されている状態を該ウェブサイト情報から認識する工程が実行され、ステップ（Ｓ−１６）に於いて、当該携帯式情報端末３のオペレータが，当該ウェブサイト情報へのアクセスを中断する工程が実行され、処理を終了する事になる。
【００５２】
本発明に於ける他の態様としては、インタネットに接続時に、アドレスが一定となることが保証されない様なウェブサーバと、インタネットに接続されていて、ＵＲＬが固定されている常時接続ウェブサーバと、インタネットに接続されていて、ウェブ閲覧機能を有する携帯式情報端末とから構成された通信システムに於いて、当該アドレスが一定となることが保証されない様なウェブサーバをインタネットに接続する工程、
当該インタネットに接続された当該アドレスが一定となることが保証されない様なウェブサーバに対してＩＰアドレスが割り当てられる工程、
当該アドレスが一定となることが保証されない様なウェブサーバに於いて当該割り当てられたＩＰアドレスを含むウェブサイト情報を作成する工程、
当該ウェブサイト情報を特定の固定されたＵＲＬアドレスとともに常時接続ウェブサーバに於ける自己のウェブサイトに登録表示する工程、
当該アドレスが一定となることが保証されない様なウェブサーバが現在表示されているウェブサイト情報を切断するか否かを判断する工程、
当該ウェブサイト情報を切断しない場合には、当該携帯式情報端末のオペレータが当該固定のＵＲＬを使用して当該アドレスが一定となることが保証されない様なウェブサーバのウェブサイト情報にアクセスする工程、
当該携帯式情報端末のオペレータが、当該アドレスが一定となることが保証されない様なウェブサーバのウェブサイトが切断されているか否かを判断する工程、
当該携帯式情報端末のオペレータが、当該ウェブサイト情報から当該アドレスが一定となることが保証されない様なウェブサーバのウェブサイトが切断されていない場合に、当該ウェブサイト情報から当該アドレスが一定となることが保証されない様なウェブサーバのアドレスを認識する工程、
当該携帯式情報端末のオペレータが、当該認識した当該アドレスが一定となることが保証されない様なウェブサーバのアドレスを使用して当該アドレスが一定となることが保証されない様なウェブサーバのウェブサイトにアクセスし、当該ウェブサイトの内容を確認する工程、
当該携帯式情報端末のオペレータが、当該ウェブサイトの内容を変更するか否かを判断する工程、
当該ウェブサイトの内容を変更する場合には、当該携帯式情報端末を介して当該ウェブサイトの内容を変更する工程、
当該ウェブサイトの内容を変更しない場合には、ＥＮＤとなる工程、
更に、当該ウェブサイトの内容を変更する必要があるか否かを判断する工程、
更に、当該ウェブサイトの内容を変更する必要がある場合には、上記したウェブサイトの内容を変更する工程が繰り返される工程、
更に、当該ウェブサイトの内容を変更する必要が無い場合にはＥＮＤとなる工程、
とから構成されている通信システムをコンピュータに実行させるためのプログラムであり、更には、上記したプログラムに於いて更に、当該アドレスが一定となることが保証されない様なウェブサーバが現在表示されているウェブサイト情報を切断するか否かを判断する工程に於いて、当該ウェブサイト情報を切断する場合には、切断中の状態を表示する情報を作成する工程、
当該切断中の状態を表示する情報を常時接続ウェブサーバに於ける自己のウェブサイトに上書して書き換える工程、
当該携帯式情報端末のオペレータが、当該アドレスが一定となることが保証されない様なウェブサーバのウェブサイトが切断されているか否かを判断する工程に於いて、当該携帯式情報端末のオペレータが、当該ウェブサイト情報から当該アドレスが一定となることが保証されない様なウェブサーバのウェブサイトが切断されていると判断した場合には、当該携帯式情報端末のオペレータは，当該ウェブサイト情報へのアクセスを中断する工程を経てＥＮＤとする工程が付加されている構成からなる通信システムをコンピュータに実行させるためのプログラムである。
【００５３】
【発明の効果】
本発明は、上述した様な構成を採用しているので、所望の情報をインタネットを介してユーザーに発信する所定のサーバと、当該サーバにインタネットを介してアクセスすることを希望する、ユーザーとの間で、簡易なシステムでしかも、コストが安い通信システムを構築すると同時に、当該携帯式情報端末のオペレータが当該携帯式情報端末を購入した日から直ぐに利用できるような通信システムが容易に得られるのである。
【図面の簡単な説明】
【図１】
図１は、本発明に係る通信システムの一具体例の構成の概要を示すブロックダイアグラムである。
【図２】
図２は、本発明に係る通信システムの一具体例の構成の詳細を示す図である。
【図３】
図３は、本発明に係る通信システムの一具体例に於ける操作の手順の一例を示すスフローチャートである。
【符号の説明】
１  アドレスが一定となることが保証されない様なウェブサーバ
２  常時接続ウェブサーバ
３  携帯式情報端末
４  インタネット
１１  インタネット接続手段
１２  ＩＰアドレス取得手段
１３  ウェブページデータ作成手段
１４  ウェブページデータ登録手段
１５  アドレスが一定となることが保証されない様なウェブサーバのウェブページデータのデータベース
２１  常時接続ウェブサーバのウェブページデータのデータベース
２２  アドレスが一定となることが保証されない様なウェブサーバのウェブページ割り当て領域
１００  通信システム